(57)【要約】  記録媒体、記録媒体に制御情報を記録する方法、ならびに前記制御情報を使用して記録媒体に／からデータを記録／再生する方法および装置が開示される。この記録媒体は、データ領域と、記録媒体にまたは記録媒体からデータを記録または再生するためのドライバとの記録互換性および再生互換性を特定できる制御情報を記録する管理領域とを含む。ここで、制御情報は、再生互換性を特定するためのクラス番号と、記録互換性を特定するためのバージョン番号を含み、記録互換性は、クラス番号内のバージョン番号を使用して決定される。
2008508658.tif 000002
【特許請求の範囲】
【請求項１】
データ領域と、
前記記録媒体上または前記記録媒体からデータを記録または再生するためのドライバとの、記録互換性および再生互換性を特定できる制御情報を記録する管理領域と
を備えたことを特徴とする記録媒体であって、
前記制御情報は、前記再生互換性を特定するためのクラス番号と、前記記録互換性を特定するためのバージョン番号を含み、
前記記録互換性は、クラス番号内の前記バージョン番号を使用して決定されることを特徴とする記録媒体。
【請求項２】
前記バージョン番号は、それぞれ異なるクラス番号内において順次増加することを特徴とする請求項１に記載の記録媒体。
【請求項３】
前記バージョン番号は、それぞれ異なるクラス番号内において０から開始されることを特徴とする請求項２に記載の記録媒体。
【請求項４】
前記クラス番号は、前記記録媒体の属性情報が再生互換性を有さない既定の範囲に変更されるたびに、順次増加することを特徴とする請求項１に記載の記録媒体。
【請求項５】
前記制御情報は、前記記録媒体の種類を示すタイプ情報をさらに含み、前記タイプ情報は、再生専用記録媒体、１回だけ記録可能な記録媒体、および書換え可能な記録媒体のうちの一つを示すことを特徴とする請求項１に記載の記録媒体。
【請求項６】
前記記録媒体は、最初に前記タイプ情報、各タイプ情報内の前記クラス番号、および各クラス番号内の前記バージョン番号を使用して指定されることを特徴とする請求項５に記載の記録媒体。
【請求項７】
前記バージョン番号は、前記クラス番号に関係なく、順次増加することを特徴とする請求項１に記載の記録媒体。
【請求項８】
前記クラス番号が変更されると、前記変更されたクラス番号内に含まれる最初のバージョン番号は、以前クラス番号内に含まれる最後のバージョン番号と等しいことを特徴とする請求項１に記載の記録媒体。
【請求項９】
記録媒体内に制御情報を記録する方法であって、
前記記録媒体内の特定領域に、バージョン番号およびクラス番号を含む制御情報を記録するステップであって、
前記クラス番号は、再生互換性を指定し、前記記録媒体の属性情報が再生互換性を有さない既定の範囲に変更されるたびに順次増加するし、前記バージョン番号は、記録互換性を指定し、前記記録媒体の属性情報が記録互換性を有さない既定の範囲に変更されるたびに順次増加し、
前記記録互換性は、クラス番号内の前記バージョン番号を使用して決定されるステップ
を備えたことを特徴とする方法。
【請求項１０】
前記バージョン番号は、それぞれ異なるクラス番号内において順次増加することを特徴とする請求項９に記載の方法。
【請求項１１】
前記バージョン番号は、それぞれ異なるクラス番号内において０から開始することを特徴とする請求項１０に記載の方法。
【請求項１２】
前記制御情報は、記録媒体の種類を示すタイプ情報をさらに含み、前記タイプ情報は、再生専用記録媒体、１回だけ記録可能な記録媒、体および書換え可能な記録媒体のうちの一つを示すことを特徴とする請求項１１に記載の方法。
【請求項１３】
前記記録媒体は、はじめに前記タイプ情報、各タイプ情報内の前記クラス番号、および各クラス番号内の前記バージョン番号を使用して指定されることを特徴とする請求項１２に記載の方法。
【請求項１４】
前記クラス番号は、記録媒体の各タイプによって決定されることを特徴とする請求項１２に記載の方法。
【請求項１５】
前記バージョン番号および前記クラス番号は、前記記録媒体の各タイプによって決定されることを特徴とする請求項９に記載の方法。
【請求項１６】
前記バージョン番号は、前記クラス番号に関係なく順次増加することを特徴とする請求項９に記載の方法。
【請求項１７】
前記クラス番号が増加すると、前記増加したクラス番号内に含まれる最初のバージョン番号は、以前クラス番号内の最後のバージョン番号と等しいことを特徴とする請求項９に記載の方法。
【請求項１８】
記録媒体上または記録媒体からデータを記録または再生する方法であって、
(ａ)ドライバにロードされた記録媒体の特定領域からクラス番号およびバージョン番号を読み出すステップであって、前記クラス番号は再生互換性を特定するためであり、前記バージョン番号は記録互換性を特定するためであり、前記記録互換性は、前記クラス番号内の前記バージョン番号を使用して決定されるステップと、
(ｂ)前記読み出されたクラス番号およびバージョン番号に基づいて、前記記録媒体が、前記ドライバとの前記記録互換性および／または再生互換性を保つかを決定するステップと、
(ｃ)ステップ(ｂ)のとして、記録媒体上または記録媒体からデータを記録および／または再生するためのアクセス動作を制御するステップと
を備えたことを特徴とする方法。
【請求項１９】
前記バージョン番号は、それぞれ異なるクラス番号内において順次増加することを特徴とする請求項１８に記載の方法。
【請求項２０】
前記バージョン番号は、それぞれ異なるクラス番号内において０から開始することを特徴とする請求項１９に記載の方法。
【請求項２１】
前記制御情報は、前記記録媒体の種類を示すタイプ情報をさらに含み、前記タイプ情報は、再生専用記録媒体、１回だけ記録可能な記録媒体、および書換え可能な記録媒体のうちの一つを示すことを特徴とする請求項２０に記載の方法。
【請求項２２】
前記記録媒体は、タイプ情報、各タイプ情報内のクラス番号、および各クラス番号内のバージョン番号を使用して指定されることを特徴とする請求項２１に記載の方法。
【請求項２３】
前記ステップ(ｂ)は、
(ｂ−１)前記ドライバ内に指定されたクラス番号およびバージョン番号を読み出すステップと、
(ｂ−２)前記記録媒体から読み出した前記クラス番号および前記バージョン番号と、前記ドライバ内で指定された前記クラス番号および前記バージョン番号を比較するステップと、前記比較結果に従って前記記録互換性および／または再生互換性を決定するステップ
を含むことを特徴とする請求項１８に記載の方法。
【請求項２４】
前記ステップ(ｃ)は、前記記録媒体から読み出した前記クラス番号が前記ドライバ内で指定された前記クラス番号より大きい場合は、前記記録媒体への前記アクセスを禁止することを特徴とする請求項２３に記載の方法。
【請求項２５】
前記禁止するステップは、前記記録媒体のデータ領域への記録および再生のための前記アクセスを禁止することを特徴とする請求項２４に記載の方法。
【請求項２６】
前記ステップ(ｃ)は、前記記録媒体から読み出した前記バージョン番号がドライバ内で指定された前記バージョン番号より大きい場合は、前記記録媒体にデータが記録されることを防ぐことを特徴とする請求項２３に記載の方法。
【請求項２７】
前記ステップ(ｃ)は、前記記録媒体から読み出した前記バージョン番号がドライバ内で指定された前記バージョン番号より大きい場合であっても、前記記録媒体内のデータの再生を許容することを特徴とする請求項２６に記載の方法。
【請求項２８】
記録媒体上／記録媒体から、データを記録／再生する装置であって、
前記記録媒体上または前記記録媒体からデータを記録おおび／または読み出すピックアップユニットと、
前記記録媒体の特定領域内に記録されたクラス番号およびバージョン番号を読み出すために、前記ピックアップユニットを制御するコントローラであって、前記バージョン番号は、前記クラス番号内に特定の値を有し、前記読み出されたクラス番号およびバージョン番号に基づいて前記記録媒体がドライバと前記記録互換性および／または再生互換性を維持するか否かを決定し、前記決定の結果として前記記録媒体上または前記記録媒体からデータを記録および／または再生するアクセス動作を制御するコントローラと
を含むことを特徴とする装置。
【請求項２９】
前記制御情報は、前記記録媒体の種類を示すタイプ情報をさらに含み、前記コントローラは、前記タイプ情報に基づいて、前記記録媒体が再生専用記録媒体であるか、１回だけ記録可能な記録媒体であるか、書換え可能な記録媒体であるかを特定することを特徴とする請求項２８に記載の装置。
【請求項３０】
前記コントローラは、はじめに前記タイプ情報、各タイプ情報内のクラス番号、および各クラス番号内の前記バージョン番号を使用して、前記記録媒体を特定することを特徴とする請求項２９に記載の装置。
【請求項３１】
前記ドライバの前記クラス番号および前記バージョン番号を格納するメモリ
をさらに備えたことを特徴とする請求項２８に装置。
【請求項３２】
前記コントローラは、前記記録媒体から読み出した前記クラス番号および前記バージョン番号と、前記ドライバ内で特定されたクラス番号およびバージョン番号を比較することによって、前記記録媒体がドライバとの記録互換性および／または再生互換性を維持するかどうかを決定することを特徴とする請求項２８に記載の装置。
【請求項３３】
前記記録媒体から読み出した前記クラス番号が前記ドライバ内で特定された前記クラス番号より大きいならば、前記コントローラは、前記記録媒体への記録および再生が禁止されるように、前記アクセス動作を制御することを特徴とする請求項３２に記載の装置。
【請求項３４】
前記コントローラは、前記記録媒体のデータ領域への記録および再生を禁止するために、前記アクセス動作を制御することを特徴とする請求項３３に記載の装置。
【請求項３５】
前記記録媒体から読み出した前記バージョン番号が前記ドライバ内で特定された前記バージョン番号より大きいならば、前記コントローラは、前記記録媒体内のデータを記録が制限されるように、前記アクセス動作を制御することを特徴とする請求項３２に記載の装置。
【請求項３６】
前記記録媒体から読み出した前記バージョン番号が前記ドライバ内で特定された前記バージョン番号より大きい場合であっても、前記コントローラは、前記記録媒体内のデータを再生が許容されるように、前記アクセス動作を制御することを特徴とする請求項３５に記載の装置。
【発明の詳細な説明】
【技術分野】
【０００１】
本発明は、記録媒体、および記録媒体内に記録されたデータを再生する方法と装置に関し、より詳しくは、記録媒体へ／からの記録／再生の互換性を制御できる記録制御情報を、記録媒体内に記録する方法、および制御情報を使用した記録媒体へ／からの記録／再生するための方法と装置に関する。
【背景技術】
【０００２】
一般に、大容量のデータをそこへ記録できる記録媒体として動作する光ディスクが広く使用されてきた。特に、例えば、ブルーレイディスク(ＢＤ：Blu-ray Disc)といった、高品質のビデオデータと高品質のオーディオデータを長期間記録/格納できる高密度光記録媒体(たとえば、ＨＤ−ＤＶＤ)が新たに開発されてきている。
【０００３】
次世代ＨＤ−ＤＶＤ技術に基づくＢＤは、既存のＤＶＤよりはるかに多くのデータを格納できる次世代光記録ソリューションになると見なされてきた。最近、ＢＤに関連する世界標準の技術仕様が確立されてきた。
【０００４】
ＢＤに関連する各種標準技術仕様が確立されてきている。そして、たとえば、１倍速ＢＤ−ＲＥ（Blu-ray Disc Rewritable)、高速(少なくとも２倍速)ＢＤ−ＲＥ、１回だけ記録可能なＢＤ−Ｒ、およびＢＤ−ＲＯＭ（再生専用メモリ）といった、各種ディスクに関連する各種の標準技術の仕様もまた、確立されてきた。
【０００５】
したがって、ＢＤ関連技術の発展に伴い、多くの開発者は、同システムに基づく標準化されたＢＤのバージョン情報を、その新しく標準化されたバージョン情報に、継続的にアップデートしてきた。たとえば、ＢＤ仕様の情報は、１倍速ＢＤ−ＲＥから、高速（少なくとも２倍速）へ継続的に拡張されてきた。
【０００６】
しかしながら、ＢＤの拡張されたバージョンによって、下位バージョンに適合可能な記録／再生デバイスが、上位バージョンのディスクへ／からデータを記録／再生する場合、上位バージョンのディスクへ／からデータを記録／再生することが不可能であるか、あるいは上位バージョンのディスクの記録／再生において予期せぬエラーが発生し得る。下位バージョンの記録／再生デバイスは、上位バージョンのディスク内の記録および／または再生を再度試みるような、エラーの存在または不存在を正確に認識できず、システムの全体の致命的なエラーという結果となる。
【発明の開示】
【発明が解決しようとする課題】
【０００７】
したがって、本発明は、記録媒体と、記録媒体に制御情報を記録する方法と、従来技術の制限および不利点のために１以上の問題を実質的に除く、同様なものを使用して、記録媒体へ／からのデータの記録／再生のための方法および装置とに向けられている。
【０００８】
本発明の目的は、記録および／または再生の互換性を制御できる標準化された情報として動作する制御情報を、記録媒体に記録する方法を提供することである。
【０００９】
本発明の別の目的は、記録媒体にデータを記録および／または再生するとき、記録媒体内に格納された制御情報を使用する記録／再生方法および装置を提供することである。
【００１０】
本発明のさらなる利点、目的、および特徴は、以下の明細書で一部分は説明し、一部分は、以下の検討の上、当業者にとって明らかになるか、あるいは本発明の実施から分かるであろう。本発明の目的および他の利点は、添付の図面、ならびにこの書かれた明細書および特許請求の範囲で特に指摘された構造によって、理解および実現されるかもしれない。
【課題を解決するための手段】
【００１１】
これらの目的および他の利点を達成するために、ここで体化され広く述べられるように、記録媒体は、記録媒体であって、データ領域と、記録媒体上または記録媒体から、データを記録または再生するためのドライバとの、記録互換性および再生互換性を特定できる制御情報を記録するための管理領域とを含み、この制御情報は、再生互換性を特定するためのクラス番号と、記録互換性を特定するためのバージョン番号とを含み、記録互換性は、クラス番号内のバージョン番号を使用して決定される。
【００１２】
本発明の別の態様において、記録媒体内に制御情報を記録する方法は、バージョン番号およびクラス番号を含む制御情報を、記録媒体の特定領域内に記録することを含み、このクラス番号は、再生互換性を特定し、記録媒体の属性情報が再生互換性を有さない既定の範囲に変更されるたびに順次に増加し、このバージョン番号は、記録互換性を特定し、記録媒体の属性情報が記録互換性を有さない既定の範囲に変更されるたびに順次に増加し、この記録互換性は、クラス番号内のバージョン番号を使用して決定される。
【００１３】
本発明の別の態様において、記録媒体上または記録媒体からデータを記録または再生する方法は、(ａ)ドライバにロードされた記録媒体の特定領域からクラス番号およびバージョン番号を読み出すステップであって、このクラス番号は再生互換性を特定するためであり、このバージョン番号は記録互換性を特定するためであり、この記録互換性はクラス番号内のバージョン番号を使用して決定されるステップと、(ｂ) この記録媒体は、この読み出されたクラス番号およびバージョン番号に基づくドライバとの記録互換性および／または再生互換性を保つか否かを決定するステップと、(ｃ)ステップ(ｂ)の結果として記録媒体上または記録媒体からデータを記録および／または読み出すためのアクセス動作を制御するステップとを含む。
【００１４】
本発明のさらなる態様において、記録媒体上／記録媒体からのデータを記録／再生する装置は、記録媒体上または記録媒体からデータを記録および／または読み出すピックアップユニットと、記録媒体の特定領域内に記録されたクラス番号およびクラス番号を読み出すためのピックアップユニットを制御するためのコントローラとを含み、このバージョン番号は、クラス番号内の特定の値を有し、読み出したクラス番号およびバージョン番号に基づいて、ドライバとの記録互換性および再生互換性を維持するか否かを決定し、この決定の結果として、記録媒体上または記録媒体からデータを記録および／または再生するアクセス動作を制御する。
【００１５】
本発明の前述した一般的な説明および後述する本発明の詳細な説明の両方共、例であり、説明であり、特許請求された本発明のさらなる説明を提供することを意図している。
【００１６】
本発明の本発明のさらなる理解のために含まれ、この出願の一部に組み込まれ、構成する貼付図面は、本発明の実施形態を図示し、明細書と共に、本発明の本質の説明を提供する。
【発明を実施するための最良の形態】
【００１７】
参照は、本発明の好適な実施形態に対して詳細になされ、この例は、添付の図面において示される。可能な場合は、図面全体において、同一または類似な部分を指すのに、同一の参照番号を使用する。
【００１８】
本発明を説明する前に、本発明で開示されるほとんどの用語は、当分野でよく知られる一般的な用語に対応するが、一部の用語は、必要に応じて出願によって選択されており、以降、本発明の以下の説明で開示されることに留意されたい。したがって、出願人によって定義された用語は、本発明におけるそれらの意味に基づいて理解されるのが望ましい。
【００１９】
本発明において使用される記録媒体は、例えば光ディスクや磁気テープなどの、すべての記録可能な媒体を示す。本発明の説明の便宜とより良い理解のために、ＢＤなどの光ディスクは以降、本発明の上記の記録媒体として典型的に使用される。本発明の技術的思想は、本発明の範囲と精神から離れることなく、他の記録媒体にも同様に適用できる。
【００２０】
「制御情報」の用語は、記録媒体の記録／再生動作のために使用される様々な情報を示す。一般的に、制御情報は、記録媒体の製造業者または作成者によってエンボス加工された穴(embossed pit)を使用する記録媒体の既定の領域にあらかじめ記録されるか、または記録トラックのウォブル(wobble)形状内に含まれる。
【００２１】
例えば制御情報をディスク情報と呼び、たとえばＤＶＤ−ＲＡＭ、 ＤＶＤ−ＲＷ、 ＤＶＤ＋ＲＷ、 ＤＶＤ−Ｒ、および ＤＶＤ＋Ｒなどの特定ディスクにおける物理フォーマット情報と一般的に呼ぶ。説明の便宜のために、制御情報は以降、ＢＤに対応するＤＩ（ディスク情報：Disc Information）として呼ぶ。ＤＩの詳細な構造およびＤＩの記録方法は、図２〜図７を参照して以降、説明する。
【００２２】
図１は、本発明の技術的思想を示す概念図である。
【００２３】
図１を参照して、光ディスク４０が記録／再生ユニット１０内に置かれる場合、データが光ディスクに記録されるか、または光ディスクからデータを再生され、最終的なディスプレイ装置３０を介してユーザに適用されるように、ユーザの要求によって記録または再生の動作は実行される。
【００２４】
この場合、記録／再生ユニット１０は、記録／再生ユニット１０内に置かれた全てのディスク４０のデータを記録または再生できない。言い換えると、記録／再生ユニット１０が下位バージョンの使用をサポートできる特定のモードで製造され、ディスク４０が上位バージョンの機能に適合するように製造されるということが提供されると、下位バージョンの記録／再生ユニットは上位バージョンのディスクのデータを記録または再生できないかもしれない。
【００２５】
しかしながら、記録／再生ユニット上記の状況を認識できない場合、ロードされたディスクのデータの記録／再生を継続的に試み、予想外のエラーを発生させるという結果になる。
【００２６】
したがって本発明は、ディスクが第１の記録／再生互換性情報Ａを含むことを可能にし、記録／再生ユニットが第２の記録／再生互換性情報Ｂを含むことを可能にする。さらに本発明は、安定的に記録／再生動作が実行できるように、上述の情報Ａ、Ｂに基づいて記録または再生動作が利用可能かどうかを決定できる。
【００２７】
記録媒体内の記録／再生互換性を特定できる制御情報として動作する様々な情報を記録する方法を、図２ａ〜図６ｃを参照して、以降で説明する。
上述の制御情報を使用する記録媒体の記録／再生動作を実行する方法は、 図７を参照して説明する。
【００２８】
図２ａ〜図２ｂは、単一の記録レイヤを有するシングルレイヤＢＤを示す構造図である。より詳しくは、図２ａは、ＢＤ−ＲＥ／Ｒを示す構造図であり、図２ｂはＢＤ−ＲＯＭを示す構造図である。
【００２９】
図２ａを参照して、本発明によるＢＤ−ＲＥ／Ｒは、光ディスクの内周領域に、管理領域として動作するリードイン領域を含み、光ディスクの外周領域に、管理領域として動作するリードアウト領域をも含む。特に、ディスクの内周領域は、事前記録領域および記録可能領域または１回だけ記録可能な領域を含む。
【００３０】
事前記録領域は、ユーザまたはシステムが将来的に事前記録領域に他のデータを追加できないように、ディスク製造される時に記録される。特に、ＢＤ用の事前記録領域は、ＰＩＣ(不変情報＆制御データ：Permanent Information & Control data)と呼ばれ、ＰＩＣ領域内に記録されたＤＩを読み出すことができる。しかし、上述の場合は本発明において例示的に示され、本発明の制御情報を含む領域は上述の例に限られず、必要に応じて他の例にも適用可能であることに留意されたい。
【００３１】
データ領域は、実際のユーザのデータが記録するユーザデータ領域と、欠陥領域のために代用する複数のスペア領域であるＩＳＡ、ＯＳＡを含む。ＢＤ−Ｒのような１回だけ記録可能な光ディスクは、ディスク欠陥管理情報および一般管理情報を記録するＴＤＭＡ(一時的ディスク管理領域Temporary Disc Management Area)を管理領域内に含む。ＴＤＭＡはＢＤ−ＲＥにおいては不要なので、予備領域として残る。
【００３２】
図２ｂは、ＢＤ−ＲＯＭを示す構造図である。ＢＤ−ＲＯＭのすべての領域は事前記録領域を示し、本発明に関連するＤＩは、ＢＤ−ＲＯＭ内のリードイン領域に含まれるＰＩＣ領域に記録できる。
【００３３】
図３は、図２ａ〜図２ｂに示される上述のディスク構造において含まれるＰＩＣ領域を示す構造図である。例えば、ＢＤの最小の記録単位は、１クラスタで示される。ＰＩＣ領域は５４４個から成り、一つの上位記録単位としてフラグメント(Fragment)を形成する。５つのフラグメントがＰＩＣ領域を形成するためにまとめられる。
【００３４】
より詳しくは、最初のフラグメントＩＦ０の先頭クラスタにＤＩを最初に記録する。この場合、複数のＤＩは、先頭クラスタに記録される一方で、対応する光ディスクの許容可能な記録レイヤおよび許容可能なデータ読取り速度に従って分類される。例えば、図３において、ＤＩの番号が「Ｌ」によって例示的に示される。 一つのＤＩは１１２バイトまたは６４バイトから構成できる。１１２バイトまたは６４バイトで構成されたＤＩは、ＤＩ（ディスク情報：Disc Information）フレームとも呼ばれる。最初のフラグメントＩＦ０の残りのクラスタは、先頭クラスタと同じやり方で、ＤＩを繰り返し記録する。残りのフラグメントＩＦ１〜ＩＦ４もまた、最初のフラグメントＩＦ０と同様に、同じＤＩを繰返し記録する。上述のようにＤＩが繰り返し記録されるので、本発明はＤＩの損失または欠陥に適切に対処できる。
【００３５】
上述の説明に関連して、ＢＤ−ＲＥ／Ｒは、ＤＩフレーム内に記録速度情報および記録関連情報(ＷＳ)を含まなければならず、ＤＩフレームの大きさは、１１２バイトに対応するのが好ましい。
【００３６】
しかし、ＢＤ−ＲＯＭは、そのＤＩフレーム内に記録速度情報および記録関連情報(ＷＳ)が含む必要がなく、ＤＩフレームの大きさは６４バイトからなるのが好ましい。この場合、ＤＩフレームを示す上述のバイト情報は、本発明において例示的に示されていて、ＤＩ内に含まれる情報の大きさによって、様々な方法で修正することもできる。
【００３７】
記録媒体内の上述したＤＩ情報の一つとして動作する記録／再生互換性情報を記録する方法、および上述の情報をアップデートする方法を、図４〜図６ｃを参照して以下に説明する。
【００３８】
上述の説明に関連して、記録／再生互換性情報は、タイプ情報、クラス情報、およびバージョン情報を含む。
【００３９】
最初に、タイプ情報は、ディスクのカテゴリ情報を特定するよう適合される。例えば、ユーザまたは記録／再生ユニットは、タイプ情報を使用して現在のディスクが、ＢＤ−ＲＥであるか、１回だけ記録可能なディスクＢＤ−Ｒであるか、またはＢＤ−ＲＯＭであるかを決定できる。
【００４０】
クラス情報は、個々のディスクタイプ内において、再生互換性（読取り互換性ともよばれる）の許容範囲を特定するよう適合され、クラス番号で示される。再生互換性の許容範囲は、ディスクの物理的属性が変化しない既定の範囲となるよう決定される。
【００４１】
したがって、ディスクの基本的な物理的属性が変更される場合、クラス番号も増加する。例えば、クラス番号が「０」という特定の番号で始まり、基本的な物理的属性が変更される毎に１ずつ増加する。
【００４２】
例えば、記録／再生ユニットが特定のクラス番号「０」をサポートすることが提供されると、「１」以上の特定のクラス番号を有する上位クラス番号のディスクは、記録／再生ユニット内に置かれ、記録／再生ユニットは対応するディスクのデータ領域へのアクセスできない。
【００４３】
逆に、記録／再生ユニットがクラス番号「２」をサポートすることを提供される場合、少なくともクラス番号「１」を有する下位クラスのディスクが記録／再生ユニットに置かれ、記録／再生ユニットは、対応する当該ディスクのデータを記録／再生できる。しかし、記録／再生ユニットにクラス番号「２」を有する同じクラスのディスクが置かれると、記録／再生ユニットはこのディスクのデータを再生できるが、データの記録可能または記録可能でない状態を示すその記録関連情報は、後述のバージョン番号によって決定される。言い換えると、再生互換性は同じクラス番号内で維持されるが、データの記録可能または記録可能でない状態はバージョン番号によって決定されなければならない。
【００４４】
バージョン情報は、記録互換性の存在または不存在を特定することができる情報として使用され、これはバージョン番号で示される。記録互換性が許容範囲は、記録動作に関連する属性情報が既定の読取り互換性範囲において変更しない特定の場合を示す。例えば、記録速度の増加、および対応するディスクへの特定領域の追加は、記録関連の属性情報の変更となるとみなされ得る。
【００４５】
したがって、記録関連の属性情報が変更される場合には、バージョン番号も増加する。例えば、バージョン番号は、特定番号「０」から開始し、属性情報が変更される毎に１ずつ増加する。この動作に関連して、クラス番号およびバージョン番号の増加または減少は、既存の使用が拡張されるとき、拡張の程度によって決定される。
【００４６】
一般に、記録／再生ユニットが特定のクラス番号およびバージョン番号を含み、上位バージョン番号および同一クラス番号を有するディスクが記録／再生ユニットに置かれることが提供されると、クラス番号が同一で、バージョン番号が上位であるディスクがロードされる場合、記録／再生ユニットは、ディスクのデータを再生できる一方、ディスク内のデータは記録できない。しなしながら、常に下位バージョン番号を有する記録／再生ユニットが上位バージョン番号を有するディスク内にデータを記録できないことは好ましくない。したがって、上位バージョンのディスク内にＤＩとして記録された記録速度情報および記録関連情報(ＷＳ)の両方を参照して、下位バージョン番号を有する記録／再生ユニットが記録動作を実行できることを決定されることが場合、上位バージョン番号を有す上位バージョンのディスク内にデータ記録されるのを許容することが好ましい。この動作はブリッジ記録互換性(bridge-write compatibility)と呼ばれる。
【００４７】
言い換えると、上位バージョン番号を有する上位バージョン記録／再生ユニットは、自由に上位バージョンのディスクにデータを記録できるが、下位バージョン番号を有する下位バージョン記録／再生ユニットは、下位バージョン記録／再生ユニットが上位バージョンディスクにデータを記録できるように、上位バージョンディスク内に記録された全てのＤＩを参照することによって、状態の記録可能または不可能を最終的に決定しなければならない。
【００４８】
図４は、本発明によるＤＩ内にタイプ情報、クラス情報、およびバージョン情報を記録する方法を示す。
【００４９】
図４によると、「ディスクタイプ識別子（Disc Type identifier）」フィールドは、ＤＩの(Ｎ〜Ｎ＋２)番目バイトに含まれて、対応するディスクのタイプ情報が「ディスクタイプ識別子（Disc Type identifier）」 フィールド内に記録される。例えば、書き換え可能ディスクは「ＢＤＷ」によって示され、１回だけ記録可能なディスクは「ＢＤＲ」によって示され、再生専用ディスクの場合は「ＢＤＯ」によって示すことができる。
【００５０】
「ディスククラス（Disc class）」フィールドは、ＤＩのＭ番目バイトに含まれて、対応するディスクのクラス番号を記録する。例えば、１バイトの値が、「００ｈ」の場合、「クラス０」で示されるように、クラス番号は「０」に設定される。１バイトの値が「０１ｈ」の場合、「クラス１」で示されるように、クラス番号は「１」に設定される。１バイトの値が「０２ｈ」の場合、「クラス２」で示されるように、クラス番号は「２」に設定される。
【００５１】
「ディスクバージョン（Disc version）」フィールドは、ＤＩのＬ番目バイトに含まれて、対応するディスクのバージョン番号を記録する。例えば、１バイトの値が、「００ｈ」の場合、「バージョン０」で示されるように、バージョン番号は「０」に設定される。１バイトの値が、「０１ｈ」の場合、「バージョン１」で示されるように、バージョン番号は「１」に設定される。１バイトの値が、「０２ｈ」の場合、「バージョン２」で示されるように、バージョン番号は「２」に設定される。
【００５２】
タイプ情報、クラス情報、およびバージョン情報と共に、ＤＩは多様な制御情報を含む。特に、記録可能なディスクの場合は、記録速度情報および記録関連情報(ＷＳ)などを格納することに理解されたい。
【００５３】
上述の動作に関連して、図４に示される好適な実施形態は、タイプ情報、クラス情報、およびバージョン情報を例示的に示し、必要に応じて多様な方式に修正できることに留意されたい。
【００５４】
図５は、本発明の第２の実施形態による、ＤＩ内のタイプ情報、クラス情報、およびバージョン情報を記録する別の方法を示す。特に、図５は、現在論議中であるＤＩ構造に互換可能な記録方法を例示的に示す。
【００５５】
図５を参照して、「ＤＩユニットヘッダ(DI unit header)」フィールドは、ＤＩ内に含まれる先頭８バイト(つまり０番目〜７番目バイト)に含まれ、ＤＩのヘッダ情報は、「ＤＩユニットヘッダ(DI unit header)」フィールドに記録される。例えば、ヘッダ情報は多様な情報を含み、例えば「ディスク情報識別子(Disc Information identifier)」、「ＤＩフォーマット(DI Format)」、「ＤＩブロック内のＤＩユニットシーケンス番号(DI unit sequence number in DI block)」などである。
【００５６】
「ディスクタイプ識別子」フィールドは、上述の先頭バイトの続く３バイト(つまり８番目〜１０番目バイト)に含まれ、対応するディスクのタイプ情報は「ディスクタイプ識別子」フィールドに記録される。例えば、記録可能なディスクの場合は「ＢＤＷ」、１回だけ記録可能なディスクの場合は「ＢＤＲ」、再生専用ディスクの場合は「ＢＤＯ」によって示すことができる。
【００５７】
ＤＩの１１番目バイトは、「ディスクサイズ／クラス／バージョン(Disc size/class/version)」フィールドを含み、対応するディスクのサイズ情報、クラス情報およびバージョン情報は、ＤＩの１１番目バイトに記録される。
【００５８】
例えば、ＤＩが１１番目バイトの先頭２ビットに記録される場合、「００ｂ」の先頭２ビットは、直径１２ｃｍを有するディスクを示し、「０１ｂ」の先頭２ビットは、直径８ｃｍを有するディスクを示す。
【００５９】
１１番目バイトの次の２ビットは、ディスククラス番号を記録する。ディスククラス番号が「００ｂ」で示される場合、「クラス０」で示されるように、クラス番号は「０」である。ディスククラス番号が「０１ｂ」で示される場合、「クラス１」で示されるように、クラス番号は「１」である。ディスククラス番号が「１０ｂ」で示される場合、「クラス２」で示されるように、クラス番号は「２」である。ディスククラス番号が「１１ｂ」で示される場合、「クラス３」で示されるように、クラス番号は「３」である。
【００６０】
１１番目バイトの最後の４ビットは、ディスクバージョン番号を記録する。ディスクバージョン番号が「００００ｂ」で示される場合、「バージョン０」で示されるようにクラス番号は「０」である。ディスクバージョン番号が「０００１ｂ」で示される場合、「バージョン１」で示されるようにクラス番号は「１」である。ディスクバージョン番号が「００１０ｂ」で示される場合、「バージョン２」で示されるようにクラス番号は「２」である。ディスクバージョン番号が「１１１１ｂ」で示される場合、「バージョン１５」で示されるようにクラス番号は「１５」である。
【００６１】
したがって、図５に示される前述の好適な実施形態によれば、ＤＩ内にタイプ情報、クラス情報、およびバージョン情報を記録する方法は、現在論議中であるＤＩ構造に関連する互換性を維持すると同時に実行できる。
【００６２】
図６ａ〜図６ｃは、本発明による記録／再生互換性情報として、クラス情報およびバージョン情報をアップデートする方法を示す。説明の便宜のために、図５に示す好適な実施形態によって、タイプ情報は３バイトからなり、クラス情報は２ビットからなり、バージョン情報は４ビットからなると仮定する。
【００６３】
上述の例に関連して、上述の情報をアップデートする方法は、標準化されたルールに従って、クラス番号およびバージョン番号を増加される方法を示す。言い換えると、特定のディスクは、上述のアップデート方法によって決定された一意のクラス番号および一意のバージョン番号を記録する。
【００６４】
図６ａは、個々のクラス番号内のバージョン番号を従属的に増加させる方法を示す。
【００６５】
まず、ＤＩ情報は、個々のディスク内の一意のＤＩによって定義され、一意のタイプ情報が対応するディスクに記録されることになる必要性がある。例えば、本発明のＤＩ情報は、「ＢＤＷ」で示される記録可能なディスクと、「ＢＤＲ」で示される１回だけ記録可能なディスクと、「ＢＤＯ」で示される再生専用ディスクに分類される。
【００６６】
クラス情報は、前に述べられたようにクラス番号として記録され、ディスクタイプごとに一意の値に設定される。言い換えると、対応するディスクタイプの仕様の拡張によって基本的な物理的属性が変更される場合、クラス番号の値も増加する。下位クラス番号は上位クラス番号に関連する再生互換性を有さない。したがって、下位クラス番号を有する記録／再生ユニットは、上位クラス番号を有する上位クラスディスクのデータを再生できるデータ領域へアクセスできない。
【００６７】
バージョン情報は、前に述べられたようにバージョン番号として記録される。バージョン番号は、特定のクラス番号に従属的であり、対応するクラス番号内で順次増加するよう決定される。より詳しくは、新しい機能または新しい修正が同じクラス内に追加される場合、バージョン番号は増加し、上位バージョン番号は下位バージョン番号に関連する記録互換性を有するが、下位バージョン番号は、上位バージョン番号に関連する記録互換性の実装に制限を有する。
【００６８】
各クラスのバージョン番号は「バージョン０」で示される特定のバージョン番号「０」で開始し、０のバージョン番号から順次増加する。したがって、全てのクラス内の個々の先頭バージョンは常に特定のバージョン「バージョン０」に設定される。
【００６９】
図６ｂは、独立して増加するバージョン情報を示す。
【００７０】
図６ｂに示すディスクタイプ情報およびディスククラス番号の記録方法は、図６ａの場合と同様で、以下、図６ｂを参照してバージョン番号の記録方法を説明する。
【００７１】
図６ｂを参照して、バージョン番号は、クラスに関係なく独立して増加する。さらに詳しくは、バージョン番号は特定のクラス「０」（クラス０）の先頭バージョン番号を示す特定のバージョン０（バージョン０）で開始し、順次増加する。クラスが別のクラスに変更されるとき、バージョン番号も変更しなければならなく、同じディスクタイプの同じバージョン番号に重複は存在しない。
【００７２】
図６ｃは、前述した図６ｂの修正した例を示す。図６ｃにおいて、バージョン番号は独立して増加するが、現在クラスの先頭バージョン番号の値が、前のクラスの最後のバージョン番号の値と等しいことに留意されたい。
【００７３】
さらに詳しくは、バージョン番号は、クラスに関係なく独立して増加し、クラス「０」（クラス０）の先頭バージョン番号０（バージョン０）から順次増加する。
【００７４】
クラス番号が他の暮らす番号に変更されたこの特定時点において、現在クラス番号の先頭バージョン番号の値は、前のクラス番号の最後のバージョン番号の値と等しく、同じディスクタイプ内の重複したバージョン番号はクラス番号が変更時点を示す。
【００７５】
例えば、クラス番号「０」（クラス０）の最後のバージョン番号が「００１１ｂ」として記録されると、クラス番号「１」（クラス１０）の先頭バージョン番号も「００１１ｂ」として記録される。
【００７６】
図７は、本発明による光ディスクのための記録／再生デバイスを示すブロック図である。本発明による記録／再生デバイスは、ディスクタイプ情報、クラス情報、およびバージョン情報を採用して、ロードされた光ディスクに関連する記録／再生互換性の存在または不存在を決定し、最終的に、決定された結果に従って記録／再生を実行する遂行する。以下、図７を参照してこの詳細に説明する。
【００７７】
図７を参照して、記録／再生デバイスは、記録／再生ユニット５０と記録／再生ユニット５０を制御するためのコントローラ２０を含む。コントローラ２０は、特定領域に関連する記録コマンドまたは再生コマンドを記録／再生ユニット５０に送る。記録／再生ユニット５０は、コントローラ２０のコマンドに従って特定領域に関連する記録または再生を実行する。コンピュータに接続されたドライバは、記録／再生ユニット５０のみから構成され得る。
【００７８】
記録／再生ユニット５０は、インターフェースユニット１２、ピックアップユニット１１、データプロセッサ１３、サーボユニット１４、メモリ１５、およびマイコン１６を含む。
【００７９】
インターフェースユニット１２は、外部と通信する。ピックアップ部１１は、光ディスクにデータを直接記録するか、または光ディスクのデータを再生する。データプロセッサ１３は、ピックアップユニット１１から再生信号を受信し、復元または変調された結果をピックアップユニット１１に送るために、受信した再生信号を所望の信号値に復元するか、または記録される信号を光ディスク内に記録された他の信号に変調する。サーボユニット１４は、光ディスクから正確に信号を読み出すか、または光ディスクに信号を正確に記録するために、ピックアップユニット１１を制御する。メモリ１５は、制御情報を含む多様なデータを格納する。マイクロコンピュータ１６も、記録／再生ユニット５０内に含まれる全ての構成要素を制御する。
【００８０】
上述の動作に関連して、上述の記録／再生デバイスと独立して、記録／再生ユニット５０によって再生された信号を表示するディスプレイ３０を採用できる。
【００８１】
対応する記録／再生デバイスに関連する記録／再生互換性を有するディスクの範囲を認識するために、一意のディスクタイプ情報、一意のクラス情報、および一意のバージョン情報は、本発明による上述の記録／再生デバイスにプログラミングされている。例えば、上述の情報ユニットは、「記録／再生互換性テーブル(Read/Write compatibility table)」で示されるテーブル構造１５１の形式でメモリ１５内に格納されている。
【００８２】
図７は、例示的テーブルを示す。さらに詳しくは、上述のテーブル１５１によれば、データが記録／再生デバイスによって記録または再生可能なディスクのタイプ情報は、「ＢＤＷ」、「ＢＤＲ」、および「ＢＤＯ」を含む。また、タイプ情報は、個々のディスクタイプによる記録互換性の利用可能な範囲を示すクラス番号と、個々のディスクタイプによる再生互換性の利用可能な範囲を示すバージョン番号を含む。
【００８３】
例えば、テーブル１５１が、ＢＤＷ(タイプ＝「ＢＤＷ」)などの書換え可能なディスク、およびＢＤＲ (タイプ＝「ＢＤＲ」) などの１回だけ記録可能なディスクに、クラス番号０、バージョン番号２を割り当てることが認識できる。テーブル１１が、ＢＤＯ(タイプ＝「ＢＤＯ」)に、クラス番号０およびバージョン番号０を割り当てることも認識できる。
【００８４】
多様なディスクが、前述したテーブル１５１を含む記録／再生デバイス内に置かれるか、またはロードされ得る。例えば、光ディスク「Ａ」は、 (タイプ＝「ＢＤＷ」)で示されるように書換え可能なディスク、クラス番号０およびバージョン番号０が記録されるディスクである。光ディスク「Ｂ」は、 (タイプ＝「ＢＤＲ」)で示されるように１回だけ記録可能なディスクであり、クラス番号０およびバージョン番号３が記録されるディスクである。光ディスク「Ｃ」は、 (タイプ＝「ＢＤＯ」)で示されるように再生専用ディスクであり、クラス１およびバージョン４が記録されるディスクである。
【００８５】
上述したディスクと関連して、記録／再生デバイスの記録／再生互換性の存在または不存在を決定する方法、および対応する光ディスクに／からデータを記録／再生する方法について、以降で詳細に説明する。上述の説明に関連して、記録／再生互換性の存在または不存在の決定する方法は、マイクロコンピュータ１６によって実装される。
【００８６】
たとえば、光ディスク「Ａ」が記録／再生デバイス内におかれた場合、記録／再生デバイスは、置かれたディスクのタイプ情報が「ＢＤＷ」であることを認識でき、
「ＢＤＷ」タイプに関連する記録／再生デバイスによって占められるクラス番号（クラス０）およびバージョン番号(バージョン番号２)を、置かれた光ディスクＡ内に記録されたクラス番号（クラス０）およびバージョン番号(バージョン０)と比較する。
【００８７】
言い換えると、記録／再生デバイスは、クラス番号を互いに比較し、光ディスク「Ａ」が記録／再生デバイスと同じクラス番号(クラス０)を有するので、再生互換性の存在を決定する。記録／再生デバイスは、バージョン番号を互いに比較し、記録／再生デバイスのバージョン番号２が光ディスク「Ａ」のバージョン番号０より上位なので、記録互換性の存在を決定する。したがって、ロードされた光ディスク「Ａ」は、対応する記録／再生デバイスへ／からデータを記録／再生できる。
【００８８】
たとえば、光ディスク「Ｂ」が記録／再生デバイス内に置かれるかロードされる場合、記録／再生デバイスは、ロードされたディスクのタイプ情報がＢＤＲであることを認識でき、ＢＤＲタイプに関連する記録／再生デバイスのクラス番号（クラス０）およびバージョン番号(バージョン２)は、ロードされた光ディスクＢに記録されたクラス番号（クラス０）およびバージョン番号 (バージョン３)と比較される。
【００８９】
さらに詳しくは、記録／再生デバイスは、クラス番号を互いに比較して、記録／再生デバイスと同じクラス番号（クラス０）が提供されるとき、再生互換性の存在を決定する。  その後、記録／再生デバイスは、バージョン番号を互いに比較する。記録／再生デバイスのバージョン番号(バージョン２)が、光ディスク「Ｂ」のバージョン番号(バージョン３)より下位の場合、記録／再生デバイスは記録互換性の不存在を決定する。最終的な記録互換性の存在または不存在は、光ディスク「Ｂ」のＤＩ内に記録された記録速度情報および記録関連情報(ＷＳ)に基づいて決定される。したがって、ロードされた光ディスク「Ｂ」のデータは、対応する記録／再生デバイスにおいて再生できるが、この記録可能／再生不可能の状態は、光ディスク「Ｂ」内に記録されたＤＩを読み出すことによって最終的に決定される。
【００９０】
たとえば、光ディスク「Ｃ」が記録／再生デバイスに置かれるかロードされる場合、記録／再生デバイスは、ロードされたディスクのタイプ情報が「ＢＤＯ」であることを認識でき、「ＢＤＯ」関連する記録／再生デバイスのクラス番号(クラス０)およびバージョン番号（バージョン０)は、ロードされた光ディスクＣに記録されたクラス番号(クラス１)およびバージョン番号（バージョン４)と比較される。
【００９１】
言い換えると、記録／再生デバイスはまず、クラス番号を互いに比較する。光ディスク「Ｃ」のクラス番号が記録／再生デバイスのクラス番号より上位の場合、記録／再生デバイスは、対応するディスクのデータを再生できるデータ領域へのアクセスができなく、バージョン番号を互いに比較することなく、記録不可能な状態の存在を決定する。したがって、上述の記録／再生デバイスは、光ディスク「Ｃ」内にデータを記録できず、光ディスク「Ｃ」のデータを再生できない。
【００９２】
上記から明確なように、特定のロードされたディスクに関連する記録／再生動作が利用可能でない場合、上述の利用不可能情報はユーザに通知されることが好ましい。例えば、ディスプレイ装置３０が記録／再生デバイスに追加で含まれる場合、利用不可能記録状態および利用可能再生状態などのビジュアル情報メッセージが、ディスプレイ３０のスクリーンを介してユーザに通知される。また、ディスプレイ３０は、記録／再生デバイスに追加で含まれない場合、音響メッセージがスピーカーを介して、ユーザへ音響的に通知されてもよい。
【産業上の利用可能性】
【００９３】
本発明の技術的思想および範囲から離れることなく、本発明に様々な修正および変更がなされうることは、当業者にとって明らかである。したがって、添付された特許請求の範囲に開示された本発明の技術的思想およびその同等物の範囲で提供される本発明の修正および変更に本発明は及ぶ。
【図面の簡単な説明】
【００９４】
【図１】本発明の技術的思想を示す概念図である。
【図２ａ】本発明によるシングルレイヤ構造を有する記録可能な記録媒体を示す構造図である。
【図２ｂ】本発明によるシングルレイヤ構造を有する再生専用の記録媒体を示す構造図である。
【図３】本発明による制御情報を含む管理領域の一部を示す。
【図４】本発明の第１の実施形態による記録媒体に制御情報を記録する方法を示す。
【図５】本発明の第２の実施形態による記録媒体に制御情報を記録する方法を示す。
【図６ａ】本発明による制御情報をアップデートする方法である。
【図６ｂ】本発明による制御情報をアップデートする方法である。
【図６ｃ】本発明による制御情報をアップデートする方法である。
【図７】本発明による記録媒体のための記録／再生デバイスを示すブロック図である。
【図１】
2008508658.tif 000003
【図２ａ】
2008508658.tif 000004
【図２ｂ】
2008508658.tif 000005
【図３】
2008508658.tif 000006
【図４】
2008508658.tif 000007
【図５】
2008508658.tif 000008
【図６ａ】
2008508658.tif 000009
【図６ｂ】
2008508658.tif 000010
【図６ｃ】
2008508658.tif 000011
【図７】
2008508658.tif 000012
【国際調査報告】
2008508658.tif 000013
2008508658.tif 000014